(57)【特許請求の範囲】
【請求項１】
光学系を介して入射する光の光束を絞る絞り機構を経た該入射光を複数の受光素子が２次元に配された撮像手段に送り、該撮像手段で該入射光を光電変換して得られた信号電荷を画像データにし、該画像データに信号処理を施す電子カメラにおいて、該カメラは、
前記画像データに対して複数の出力先のそれぞれに応じた信号処理を施す信号処理手段と、
該画像データに信号処理して得られた各種の検出データを用いて該カメラの最適な露出量を表すパラメータの演算処理を行って露出制御信号を生成するとともに、該信号処理手段に対して信号処理の制御を行う制御手段と、
該生成した露出制御信号に応じた露出に関わる各パラメータの設定を前記最適な露出量よりも低く設定し、該設定に応じてそれぞれ制御する露出制御手段と、該信号処理手段で行わせる信号処理の項目の選択、および該項目の補正量の設定操作のいずれか一方を行うとともに、設定した操作に関する指示情報を前記制御手段に供給する操作手段と、
前記信号処理した画像データを一時的に記憶するメモリ手段と、
前記信号処理した画像データを画像表示する表示手段とを含み、
前記信号処理手段は、前記メモリ手段に供給する画像データに対して線形な第１の信号処理を施す第１の信号処理手段と、
第１の信号処理の施された画像データを記録用画像データにする第２の信号処理を施す第２の信号処理手段と、
第１の信号処理の施された画像データを表示用画像データにする第３の信号処理手段とを含むことを特徴とする電子カメラ。
【請求項２】
請求項１に記載のカメラにおいて、第１の信号処理手段は、前記画像データに対する黒レベル補正処理、白バランスのゲイン補正処理、およびシェーディング補正処理、ならびに露出、焦点、および白バランスに関わる測光処理の少なくともいずれか一つを行うことを特徴とする電子カメラ。
【請求項３】
請求項１または２に記載のカメラにおいて、第２の信号処理手段は、第１の信号処理を施した画像データに対するレベル補正処理、記録用ガンマ補正処理、およびマトリクス処理を行うことを特徴とする電子カメラ。
【請求項４】
請求項１、２、または３に記載のカメラにおいて、第３の信号処理手段は、第１の信号処理を施した画像データに対するレベル補正処理、表示用ガンマ補正処理、および前記表示手段に対応する信号変換処理を行うことを特徴とする電子カメラ。
【請求項５】
請求項４に記載のカメラにおいて、第２および第３の信号処理手段は、前記レベル補正処理および前記表示用のガンマ補正と前記レベル補正処理および前記記録用のガンマ補正のいずれか一方に共通化して用いることを特徴とする電子カメラ。
【請求項６】
請求項１または５に記載のカメラにおいて、前記露光制御手段は、前記撮像手段、該撮像手段からの信号をディジタル信号に変換する手段のダイナミックレンジに対して充分に小さくする露光補正を行うことを特徴とする電子カメラ。
【請求項７】
請求項１または６に記載のカメラにおいて、前記制御手段は、表示に用いる画像データを前記メモリ手段から読み出す際に表示に足る画像データを読み出す制御を行うとともに、読み出した画像データに対して表示用の信号処理を行わせる制御を行うことを特徴とする電子カメラ。
【請求項８】
請求項１または７に記載のカメラにおいて、前記メモリ手段は、前記撮像手段の前記受光素子の配列に対応した配置で記憶していることを特徴とする電子カメラ。
【請求項９】
複数の受光素子が２次元に配された撮像手段を用意し、入射光を所定の光束に絞り、該入射光を前記撮像手段に送り、該撮像手段から得られる信号電荷を画像データにし、該画像データに信号処理を施す信号処理方法において、該方法は、
前記撮像手段を用いて前記入射光を所望のタイミングで本撮像する前の予備的な撮像において得られる画像データのレベル検出、かつ該レベル検出したデータを用いて本撮像時の最適な露出量を表すパラメータの算出を行う第１の工程と、該得られたパラメータを用いて露出動作を示す各パラメータの設定を行う際に前記最適な露出量よりも低いパラメータにする第２の工程と、
該低いパラメータの設定に基づいて前記本撮像を行う第３の工程と、
得られる画像データのレベル検出を行うとともに、該画像データに対して線形な第１の信号処理を施す第４の工程と、
第１の信号処理の施された画像データをそのまま一時記憶する第５の工程と、第１の信号処理の施された画像データおよび検出したレベルを用いて該画像データを表示用画像データにする第２の信号処理を行う第６の工程と、
該表示用画像データを画像表示する第７の工程と、
前記信号処理の項目の選択、および該項目の補正量の設定操作を行い、設定した操作に関する指示情報を生成する第８の工程と、
第１の信号処理の施された画像データに対して前記指示情報に応じた信号処理を前記表示用画像データおよび記録用画像データにする第１の補正信号処理を施す第９の工程と、
第１の補正信号処理を施した前記表示用画像データを画像表示させて、表示した画像が所望の画像か該所望の画像と異なるかを判定する第10の工程と、
該画像が前記所望の画像と異なる場合、第８の工程に戻って選択を繰り返し、該画像が前記所望の画像の場合、第１の補正信号処理を考慮して第２の補正信号処理を施して前記記録用画像データにする第11の工程とを含むことを特徴とする信号処理方法。
【請求項１０】
請求項９に記載の方法において、第１の信号処理は、前記画像データに対する黒レベル補正処理、白バランスのゲイン補正処理、およびシェーディング補正処理、ならびに露出、焦点、および白バランスに関わる測光処理のいずれか一つを行うことを特徴とする信号処理方法。
【請求項１１】
請求項９または10に記載の方法において、第２の信号処理は、第１の信号処理を施した画像データに対するレベル補正処理、表示用ガンマ補正処理、および前記画像表示に対応する信号変換処理を含むことを特徴とする信号処理方法。
【請求項１２】
請求項９または11に記載の方法において、第１の補正信号処理は、第１の信号処理を施した画像データに対するレベル補正処理、表示用ガンマ補正処理、および前記画像表示に対応する信号変換処理を含むことを特徴とする信号処理方法。
【請求項１３】
請求項９または12に記載の方法において、第２の補正信号処理は、第１の信号処理を施した画像データに対するレベル補正処理、記録用ガンマ補正処理、およびマトリクス処理を含むことを特徴とする信号処理方法。
【請求項１４】
請求項９、12または13に記載の方法において、前記レベル補正処理は、いずれも第１の補正信号処理の前記表示用ガンマ補正処理および第２の補正信号処理の前期記録用ガンマ補正処理の前に行うことを特徴とする信号処理方法。
【発明の詳細な説明】
【０００１】
【発明の属する技術分野】
本発明は、電子カメラおよび信号処理方法に関し、たとえば、被写体や撮像対象を光電変換して画像にして扱うディジタルカメラや画像入力装置等に適用して好適なものである。
【０００２】
【従来の技術】
撮像するシーン、被写体によっては、そのダイナミックレンジが非常に大きく、固体撮像素子の撮像能力を越える場合がある。また、固体撮像素子で撮像できたとしても、そのすべてのレンジを最終的にディスプレイや印画紙に表現しようとすると、注目したい被写体領域の輝度が低く（暗く）なり、好ましい画像が形成できないことがある。
【０００３】
たとえば、逆光状態や非常に明るい背景で人物・物体等を撮影すると、撮影したい人物・物体等の露出が不足して黒つぶれになってしまうことがある。通常、電子カメラにおいて様々なシーンに対して最適な露出が得られるように露出の自動制御回路が組み込まれているが、特殊なシーンに対しても完全に撮影者の意図を反映させて撮像することは、非常に難しい。このような問題に対してこれまで大きく分けて２つの方法が取られている。
【０００４】
第１に、カメラ側にて手動による露出補正機能を設けて露出を変更しながら撮影を行い、最適な露出が得られるようにする方法である。この方法は、従来のフィルムを用いたカメラでも行われていたものである。電子カメラの場合、電子カメラは、撮影後直ちに液晶表示等により撮像画像が確認することができるためその場で画像を確認しながら、露出を補正し、最適な画像とすることができる。
【０００５】
第２の方法は、電子カメラで撮影されたデータをパソコン等に取り込み、画像加工ソフトを用いて明るさ、色合い、コントラスト等を加工し、好ましい画像に補正する方法である。しかしながら、撮影時に白飛びを起こした画像に対してはそれを補正することはできない。したがって、撮影時には露出を少な目（アンダー気味）に設定して撮影を行っている。
【０００６】
【発明が解決しようとする課題】
ところで、このような第１の方法は、操作が煩雑であるばかりでなく、動いたり変化する被写体に対してシャッタチャンスを逃すことになり、有効な方法とは言えない。この方法をより簡便にするものとしてオートブランケッティング機能がある。これは、絞り、シャッタ速度で示す露出条件を少しずつ変えながら連写のように連続して複数の画像を撮影するものであり、上述した操作を自動的に行えるので簡便な操作になる。しかしながら、この場合の撮影時間は、短時間とはいえ連写による複数の画像を取り込む時間が必要であり一瞬のシャッタチャンスをとらえることはできない。
【０００７】
また、通常、電子カメラは、カメラ内部でガンマ補正等の非線形な処理を行い、最終的に８ビット等にビット数を削減して出力されているためこのデータを加工すると、有効ビット数が著しく減少して画質が劣化することがある。たとえば、撮像素子からの入力光量に比例した信号は、10〜12ビットの分解能を持つA/Dコンバータによりディジタル信号に変換される。この信号に対して輝度補正や色信号間のバランスを取るためのゲイン補正をかけ、この信号に対しガンマ補正等の非線形な変換を行い、最終的に８ビット程度の分解能のデータとして記録される。この信号を用いてゲイン等の補正を行うとガンマ等の変換特性が変化してしまい、色味が変化したり、有効ビット分解能の低下により画質が劣化することがあった。非線形変換前のリニアな信号データを10〜12ビットの分解能のまま記録する方法も考えられる。しかし、この分解能の記録データをそのまま表示したり印刷したりできないため、第２の方法は、特殊な用途にのみ限定されて使用されている。これにより、第２の方法は、一般的な方法とは言えない。
【０００８】
本発明はこのような従来技術の欠点を解消し、撮像した画像を確認しながら、この画像に露出補正を施して意図する画像で、かつ高画質な画像が得られる電子カメラおよび信号処理方法を提供することを目的とする。
【０００９】
【課題を解決するための手段】
本発明は上述の課題を解決するために、光学系を介して入射する光の光束を絞る絞り機構を経たこの入射光を複数の受光素子が２次元に配された撮像手段に送り、この撮像手段でこの入射光を光電変換して得られた信号電荷を画像データにし、この画像データに信号処理を施す電子カメラにおいて、画像データに対して複数の出力先のそれぞれに応じた信号処理を施す信号処理手段と、この画像データに信号処理して得られた各種の検出データを用いてこのカメラの最適な露出量を表すパラメータの演算処理を行って露出制御信号を生成するとともに、この信号処理手段に対して信号処理の制御を行う制御手段と、この生成した露出制御信号に応じた露出に関わる各パラメータの設定を最適な露出量よりも低く設定し、この設定に応じてそれぞれ制御する露出制御手段と、この信号処理手段で行わせる信号処理の項目の選択、およびこの項目の補正量の設定操作のいずれか一方を行うとともに、設定した操作に関する指示情報を制御手段に供給する操作手段と、信号処理した画像データを一時的に記憶するメモリ手段と、信号処理した画像データを画像表示する表示手段とを含み、信号処理手段は、メモリ手段に供給する画像データに対して線形な第１の信号処理を施す第１の信号処理手段と、第１の信号処理の施された画像データを記録用画像データにする第２の信号処理を施す第２の信号処理手段と、第１の信号処理の施された画像データを表示用画像データにする第３の信号処理手段とを含むことを特徴とする。
【００１０】
本発明の電子カメラは、信号処理して得られた検出データから最適な露出量を制御手段で算出して露出制御信号を生成して露出制御手段に供給し、この露出制御手段で露出制御信号に応じた露出に関わる各パラメータの設定を最適な露出量よりも低くし、この設定に応じてそれぞれ制御して撮像して得られる画像データをこの装置の本来有するダイナミックレンジに対してレンジを狭くして信号処理の余地を残しておく。第１の信号処理手段ではメモリ手段に供給する画像データに対して線形な第１の信号処理を施し、第１の信号処理の施された画像データを第３の信号処理手段で表示用画像データにして表示手段に表示させる。この表示した画像に対して操作手段で信号処理の項目の選択、およびこの項目の補正量の設定操作を行って、制御手段に設定した操作に関する指示情報を送る。制御手段は、指示情報に応じて第３の信号処理手段を動作させて画像をふたたび表示手段に表示する。満足する画像が表示された際の第３の信号処理を考慮した第２の信号処理を第２の信号処理手段で第１の信号処理の施された画像データに施して記録用画像データを生成しこれを記録することができる。あらかじめ露出を最適な露出量よりも低くしているので、撮像レベルの飽和を防止して、その後の信号処理を行っても処理の効果を発揮させることができ、繰り返し信号処理を行って得られる所望の画像を記録することができる。
【００１１】
また、本発明は上述の課題を解決するために、複数の受光素子が２次元に配された撮像手段を用意し、入射光を所定の光束に絞り、この入射光を撮像手段に送り、この撮像手段から得られる信号電荷を画像データにし、この画像データに信号処理を施す信号処理方法において、撮像手段を用いて入射光を所望のタイミングで本撮像する前の予備的な撮像において得られる画像データのレベル検出、かつこのレベル検出したデータを用いて本撮像時の最適な露出量を表すパラメータの算出を行う第１の工程と、この得られたパラメータを用いて露出動作を示す各パラメータの設定を行う際に最適な露出量よりも低いパラメータにする第２の工程と、この低いパラメータの設定に基づいて本撮像を行う第３の工程と、得られる画像データのレベル検出を行うとともに、この画像データに対して線形な第１の信号処理を施す第４の工程と、第１の信号処理の施された画像データをそのまま一時記憶する第５の工程と、第１の信号処理の施された画像データおよび検出したレベルを用いてこの画像データを表示用画像データにする第２の信号処理を行う第６の工程と、この表示用画像データを画像表示する第７の工程と、信号処理の項目の選択、およびこの項目の補正量の設定操作を行い、設定した操作に関する指示情報を生成する第８の工程と、第１の信号処理の施された画像データに対して指示情報に応じた信号処理を表示用画像データおよび記録用画像データにする第１の補正信号処理を施す第９の工程と、第１の補正信号処理を施した表示用画像データを画像表示させて、表示した画像が所望の画像かこの所望の画像と異なるかを判定する第10の工程と、この画像が所望の画像と異なる場合、第８の工程に戻って選択を繰り返し、この画像が所望の画像の場合、第１の補正信号処理を考慮して第２の補正信号処理を施して記録用画像データにする第11の工程とを含むことを特徴とする。
【００１２】
本発明の信号処理方法は、予備的な撮像で画像データのレベル検出およびこのレベル検出したデータを用いて最適な露出量を算出し、最適な露出量よりも少ない露出量にする露出制御にして撮像することにより、この方法を適用する装置のもつダイナミックレンジよりも充分に狭いレベル範囲の画像データにする。この画像データには線形な第１の信号処理を施して一時記憶し、再び読み出した第１の信号処理の施された画像データと検出したレベルに基づいてこの読み出した画像データに第２の信号処理を施し表示用画像データにする。この表示用画像データの画像表示に際して信号処理の項目の選択、およびこの項目の補正量の設定操作を行って設定した操作に関して生成した指示情報に応じた第１の補正信号処理を施して表示用画像データおよび記録用画像データを生成する。このときの表示画像が所望の画像か否かを判定し、指示情報の生成に戻って選択を繰り返す場合と、第１の補正信号処理を考慮し、第２の補正信号処理を施す場合とを判定し後者の場合に第２の補正信号処理により記録用画像データを生成して記録する。このように動作させることにより、一度撮像した画像データに対して繰り返し信号処理を施しても一時記憶した画像データを使うことから色味や階調といった画質に関わる点の劣化を防ぐことができる。
【００１３】
【発明の実施の形態】
次に添付図面を参照して本発明による電子カメラの一実施例を詳細に説明する。
【００１４】
本発明の電子カメラは、信号処理して得られた検出データから最適な露出量を制御部で算出して露出制御信号を生成して露出制御部に供給しこの露出制御部で露出制御信号に応じた露出に関わる各パラメータの設定を上記のように算出された最適な露出量よりも低くし、この設定に応じてそれぞれ制御して撮像して得られる画像データを信号処理部に供給する。第１の信号処理部ではメモリ部に供給する画像データに対して線形な第１の信号処理を施し、第１の信号処理の施された画像データを第３の信号処理部で表示用画像データにして表示部に表示させる。この表示した画像に対して操作部で信号処理の項目の選択、およびこの項目の補正量の設定操作を行って、制御部で設定した操作に関する指示情報を送る。制御部は、指示情報に応じて第３の信号処理部を動作させて画像をふたたび表示部に表示する。満足する画像が表示された際の第３の信号処理を考慮した第２の信号処理を第２の信号処理部で第１の信号処理の施された画像データに施して記録用画像データを生成し、あらかじめ露出を最適な露出量よりも低くしているので、撮像レベルの飽和を防止して、その後の信号処理を行っても処理の効果を発揮させることができ、繰り返し信号処理を行って得られる所望の画像を記録することに特徴がある。
【００１５】
図１を例に本発明の電子カメラをディジタルカメラに適用した場合について説明する。本発明とに直接関係のない部分についての図示や説明を省略する。ここで、信号の参照符号はその現れる接続線の参照番号で表す。ディジタルカメラ10には、光学レンズ系12、操作部14、システム制御部16、露出制御部18、絞り機構20、メカニカルシャッタ22、ストロボ（登録商標）24、撮像部26、CDS 部（Correlated Double Sampling：相関二重サンプリング; 以下CDS という）28、A/D 変換部30、信号処理部32、フレームメモリ部34、圧縮／伸張処理部36、メモリカードI/F 部38、および液晶モニタ40が備えられている。
【００１６】
これら各部を順次説明する。光学レンズ系12は、たとえば、複数枚の光学レンズを組み合わせて構成されている。光学レンズ系12には、図示しないが、これら光学レンズの配置する位置を調節して画面の画角を操作部14からの操作信号14a に応じて調節するズーム機構や被写体とカメラ10との距離に応じてピント調節する、AF（Automatic Focus ：自動焦点）調節機構が含まれている。操作信号14a は、たとえばレリーズボタン（図示せず）のストローク操作に応じてシステム制御部16に供給される。光学レンズ系12には、図示しないがシステム制御部16からAF調節機構の駆動を制御する制御信号が供給される。
【００１７】
操作部14には、図示しないレリーズボタンだけでなく、たとえばモニタ画面に表示される項目を選択するカーソルを表示させ、このカーソル移動および選択を行う機能を有する。画面表示の領域を選択項目で隠されるから、表示画像と選択項目のいずれかの表示をオン／オフ切換えさせるようにしてもよい。操作部14におけるこのような選択には、たとえば十字キーおよび／または液晶表示部分に配したタッチパネルセンサ等を用いてもよい。操作部14には、項目やレベル補正操作に応じた選択を指示する選択キー140および選択した指示を決定（または送出する決定キー142が含まれている。操作部14で選択された操作は操作信号14bによりシステム制御部16に報知される。
【００１８】
システム制御部16は、たとえば CPU（Central Processing Unit ：中央演算処理装置）を有する。システム制御部16には、ディジタルカメラ10の動作手順が書き込まれた ROM（Read Only Memory：読み出し専用メモリ）がある。システム制御部16は、たとえば、ユーザの操作にともなって操作部14から供給される操作信号14a, 14bとこの ROMの情報を用いて各部の動作を制御する制御信号16a, 16bを生成する。特に、この制御信号16bの生成は操作部14のレリーズボタン（図示せず）のストローク操作に応じて行われる。
【００１９】
システム制御部16は、生成した制御信号16aを信号処理部32、フレームメモリ部34、圧縮／伸張処理部36およびモニタ40に供給するだけでなく、図示しない信号発生部、タイミング信号発生部にも供給している。特に、タイミング信号発生部は、制御信号に基づいて各部を動作させる複数のタイミング信号を生成する回路を含む。制御信号16aは、信号の供給先が示すように各信号処理を行う動作制御を担っている。
【００２０】
なお、タイミング信号発生部は、生成したタイミング信号を露出制御部18に配したドライバ部（図示せず）に供給し、また、信号線を示していないが生成したタイミング信号をCDS 部28およびA/D 変換部30に供給している。
【００２１】
また、システム制御部16は、制御信号16bを、最適な露出を行わせる標準露出にするように複数のパラメータを調整して露出量を算出し、この露出量に応じて生成する。システム制御部16は、生成した制御信号16bを露出制御部18に供給する。
【００２２】
露出制御部18には、図示しないが、露出補正部、駆動信号生成部、およびドライバ部がそれぞれ含まれている。露出補正部は、標準露出を行う制御信号16bで撮像した際のダイナミックレンジよりも狭いレンジで撮像が行われるように各パラメータを補正する機能を有している。露出補正部は、補正したパラメータを駆動信号生成部やドライバ部に供給する。パラメータは、たとえば絞り機構20、メカニカルシャッタ22、ストロボ（登録商標）24、撮像部26、CDS部28等にそれぞれ供給して動作させる信号の条件である。
【００２３】
露出補正部は、これら各部に対するパラメータを総合的に考慮して露出補正を行っている。露出制御部18は、絞り機構20、メカニカルシャッタ22、ストロボ（登録商標）24、撮像部26、CDS部28に対してそれぞれ駆動信号18a〜18eを供給している。これら駆動信号のうち、駆動信号生成部が絞り機構20、メカニカルシャッタ22、ストロボ（登録商標）24のそれぞれに駆動信号18a〜18cを生成し、ドライバ部が、動作モードに応じて供給されるタイミング信号を用いて撮像素子の電子シャッタのタイミングを供給するとともに、得られた信号電荷を読み出す駆動パルス18dも生成して撮像部26に供給している。また、CDS部28には、ゲイン調整信号として駆動信号18eが供給されている。
【００２４】
絞り機構20は、露出制御部18からの駆動信号18aに応じて撮像部26に入射する光束が通る開口径を露出量に基づく絞りに合うように開口調節する機能を有する。絞り機構20は、上述したように駆動信号18aにより動作するが、この動作は操作部14のレリーズボタン（図示せず）のストローク操作に応じて取り込んだ光量を基にシステム制御部16が生成した制御信号16bに依存している。露出制御部18は、供給される制御信号16bに対応した駆動信号18aを生成している。
【００２５】
メカニカルシャッタ22は、撮像部26に入射光束が入射する期間を露出量に基づいて規定される開放時間に合うようにシャッタをオン／オフする機能を有する。メカニカルシャッタ22も露出制御部18からの駆動信号18bに応じて動作する。また、撮像部26の撮像素子26cに対して電子シャッタを制御するように駆動信号18dが与えられ、メカニカルシャッタ22と連動して、露出による蓄積電荷量が制御される。露出制御部18は、上述したようにシステム制御部16が生成した制御信号16bに依存している。この場合、システム制御部16は制御信号16bを操作部14の２段押込みタイプのレリーズボタン（図示せず）の２段階まで大きくストローク操作したタイミングに応じて生成している。
【００２６】
ストロボ（登録商標）24は電子閃光（エレクトリックフラッシュ）を発生させる装置である。ストロボ（登録商標）24はレリーズボタンの撮像タイミングの入力に同期して動作させる。ストロボ（登録商標）24はシステム制御部16にてあらかじめ発光を想定して被写体までの距離、感度等々を考慮して決めた露出量に応じて発光する。ストロボ（登録商標）24にも露出補正された駆動信号18cが供給されている。
【００２７】
撮像部26は、光学ローパスフィルタ26a 、色フィルタ26b 、および固体撮像素子26cが一体的に設けられたセンサである。このセンサには、CCD (Charge Coupled Device：電荷結合素子）が用いられている。光学ローパスフィルタ26aは、レンズ系12に設けられることもある。撮像部26は、光学レンズ系12で結像された光学像が受光部の各撮像素子に到達した光量に応じた光電変換を行って出力信号27を出力する。撮像素子26cには、CCDやMOS（Metal Oxide Semiconductor：金属酸化膜半導体）タイプの固体撮像デバイスが適用される。撮像部26では、供給される駆動信号18dに応じて光電変換によって得られた信号電荷を所定のタイミングとして、たとえば、垂直ブランキング期間にフィールドシフトにより垂直転送路に読み出され、この垂直転送路をラインシフトした信号電荷が水平転送路に供給され、この水平転送路を経た信号電荷が図示しない出力回路による電荷／電圧変換によってアナログ電圧信号27にされ、CDS部28に出力される。撮像部26では、CCDタイプでは信号電荷の読出しモードに応じた間引き読出しや全画素読出しが用いられる。
【００２８】
また、色フィルタ26bには、原色または補色の色フィルタセグメントを複数用いて所定のパターンが撮像素子に対応してたとえば、単板で形成されるように配されている。カメラ10は、上述したモードに応じて所定のパターンを考慮して信号電荷を読み出している。
【００２９】
CDS部28は、図示しないが、たとえば、CCD型の撮像素子を用いて、基本的にその素子により生じる各種のノイズをタイミング信号発生部からのタイミング信号によりクランプするクランプ回路と、タイミング信号により信号電荷をホールドするサンプルホールド回路と、信号ゲインを調整するゲインコントロールアンプとを有する。CDS部28は、ノイズ成分を除去し、信号レベルを補正してA/D変換部30に送る。
【００３０】
A/D変換部30は、供給されるアナログ信号28aの信号レベルを所定の量子化レベルにより量子化してディジタル信号30a に変換するA/D変換器を有する。A/D変換部30は、タイミング信号発生部（図示せず）から供給される変換クロック等のタイミング信号により変換したディジタル信号30aを信号処理部32に出力する。
【００３１】
信号処理部32には、前処理部44、記録用処理部46、および表示処理部48が備えられている。前処理部44は、供給される画像のうち、所定の領域の画素データがもつレベルを検出するとともに、この画像データに線形な信号処理を施す。信号処理を行う各種の補正項目には、黒レベル補正、白バランスのゲイン補正、シェーディング補正等がある。前処理部44は上述した補正項目に応じた信号処理（補正）を線形の範囲で行う。この線形処理を施した段階の画像データは、生データである。この処理が施された画像データ44a がフレームメモリ部34に供給される。画像データ44a を供給する信号線は記録用処理部46および表示処理部48とも接続されている。
【００３２】
また、前処理部44は、たとえば色フィルタの色フィルタセグメントの配置を考慮して得られる画素データを用いてレベル検出を行う。レベル検出は画像の領域を分割した各領域に対して行う分割測光、画面の中央部近傍の領域を測光するAE（Automatic Exposure control）検出、被写体とカメラとの間の距離調整用AF（Automatic Focus control ）検出、および白バランス調整用AWB (Automatic White Balance control）検出等を行う。前処理部44は、検出結果44bをシステム制御部16に供給している。
【００３３】
記録用処理部46には、図２に示すように記録用レベル補正部460、記録用ガンマ補正部462、補間処理部464、および色差マトリクス処理部466が備えられている。記録用レベル補正部460は、システム制御部16からの制御信号16aに応じて行う。システム制御部16は、前処理部44で検出したデータ44bを考慮して制御信号16a を生成している。レベル補正した画像データ460aが記録用ガンマ補正部462に供給される。記録用ガンマ補正部462は、供給された画像データ460aに記録対応のガンマ処理を施す。記録用ガンマ補正部462は、複数のガンマ特性に対応できるルックアップテーブルを有している。なお、ガンマ特性を細かく調整する場合、演算によって補正するようにしてもよい。
【００３４】
記録用ガンマ補正部462は、非線型処理を施した画像データ462aを補間処理部464に供給する。補間処理部464は単板の色フィルタを用いている場合、色フィルタセグメントの色パターン配置した位置にしか色データが得られない。補間処理部464はこの色パターンの隙間に対応する位置の各色データを実際に得られた画素データ462aを用いて補間し、その際に、記録画像フォーマットの画素数に合わせて生成する。補間処理は、補間対象の画素に対して周囲の画素を用いて加算平均して行う。
【００３５】
また、補間処理は、周囲の画素の相関係数に基づいて相関のある方向の画素を用いて補間するようにしてもよい。補間処理部464は、三原色R, G, Bの面（プレーン）データを作成する。補間処理部464は、この面データ464aを色差マトリクス処理部466に供給する。色差マトリクス処理部466は、供給された三原色R, G, Bの面データ464aから輝度信号Yおよび色差信号（R-Y), (B-Y)を作成する。色差マトリクス処理部466は、作成した画像の輝度および色差信号46aを圧縮／伸張処理部36に出力する。
【００３６】
表示処理部48には、図３に示すように表示変換処理部480、表示用レベル補正部482、および表示用ガンマ補正部484が備えられている。 表示変換処理部480は、フレームメモリ部34から液晶モニタ40に表示する画素数を読み出す。記録に対応して画素1280×1024を320×240と４分の１にする場合、フレームメモリ部34をアドレス制御して間引き読出した画像データに対して以後の信号処理を行えばよく、効率的に信号処理を施すことができる。
【００３７】
また、表示変換処理部480は、電子ズームで拡大／縮小表示する場合も領域に合わせて画像データを読み出し、補間／間引き等を行う補間処理機能も有する。表示変換処理部480は、補間／間引き処理した画像データを表示用レベル補正部482に供給する。
【００３８】
表示用レベル補正部482も、システム制御部16からの制御信号16aに応じて行う。システム制御部16は、前処理部44で検出したデータ44bを考慮して制御信号16aを生成している。レベル補正した画像データ482aが表示用ガンマ補正部484に供給される。表示用ガンマ補正部484 は、供給された画像データ482aに液晶モニタ対応のガンマ処理を施し、画像データ48aを出力する。表示用ガンマ補正部484は、操作部14の指示に応じてガンマ変換曲線を可変はたは選択することを可能にする構成を含んでいる。したがって、たとえば逆光のような特殊なシーンに対して補正することができ、画質の向上を図ることができる（逆光補正）。このようにして表示処理部48は、表示用の画像データ48aをD/A変換して（図示せず）液晶モニタ40に供給する。
【００３９】
なお、処理の手順は、上述した手順に限定されるものでなく、レベル補正、ガンマ補正、そして表示変換を行う手順でもよい。
【００４０】
図１に戻ってフレームメモリ部34は、一時記憶した画像データを繰り返し読み出すことができる非破壊型メモリが連写等を考慮して複数配設されている。また、フレームメモリ部34は、一つのフレームメモリ容量が生データの１フレーム分をそのまま（圧縮しない）保存するメモリを用いる。生データは、輝度・色差データを記憶する場合よりも少ないメモリ容量で済ませることができる。フレームメモリ部34は、システム制御部16の制御を受けて、アドレス制御により間引き読出しも繰り返し行える。読み出した画像データが前述したように記録用処理部46および表示処理部48に供給される。
【００４１】
圧縮／伸張処理部36は、記録用処理部46から供給された１フレーム分の輝度データと色差データ (46a)を一時的に記憶するフレームメモリと、たとえば、直交変換を用いたJPEG（Joint Photographic Experts Group）規格での圧縮を施す回路と、この圧縮した画像を再び元のデータに伸張する回路とを有する。このフレームメモリは、前述のフレームメモリ部34と共用することも可能である。圧縮／伸張処理部36は、図示しないがシステム制御部16の制御16aにより記録時には圧縮したデータ36aをメモリカードI/F部38を介してメモリカード42に供給し、記録させる。圧縮／伸張処理部36が伸張処理を行う場合、逆にメモリカード42から読み出したデータ42aをメモリカードI/F部38を介して圧縮／伸張処理部36に取り込んで処理する。ここで処理されたデータは、システム制御部16の制御により圧縮／伸張処理部36は、所要の順序でフレームメモリ部34に伸張したデータを書き込む。ただし、伸張した画像データは非可逆処理のJPEG処理で圧縮されているから取り込んだ生データ44aを処理して液晶モニタ40に供給して表示させた場合よりも若干画質が劣化する。
【００４２】
メモリカードI/F部38は、メモリカード42に供給するデータ36aをデータ42aにする機能および逆にメモリカード42から読み出したデータ42aをデータ36aにする機能を有する接続部である。メモリカード42には、たとえば、いわゆるスマートメディア（登録商標）などを用いる。
【００４３】
液晶モニタ40は、システム制御部16の制御（図示せず）に応じて供給される輝度データおよび色差データの表示におけるタイミングを調整して表示する機能を有する。また、液晶モニタ40は、三原色RGBのデータで表示させてもよい。
【００４４】
次にディジタルカメラ10の動作のうち、撮像および撮像した画像に対する信号処理について説明する（図４を参照）。ディジタルカメラ10において電源のオン／オフを切り換える操作スイッチをオンにして電源を投入する（開始）。この操作に応じてカメラ10では初期設定が行われる。これにともない、カメラ10は予備的な撮像が行われる。予備的な撮像では本撮像に比べて撮像部26では得られた信号電荷を間引きして読み出している（ステップS10)。図示していないがここで得られた画像データは、たとえば動画モードで液晶モニタ40に表示されている。表示している画像は予備画像と呼ぶことにする。
【００４５】
読み出した予備画像の画像データに基づいて前処理部44にてレベル検出が行われる。検出したレベルがシステム制御部16に供給される。システム制御部16ではこのレベルを用いて標準露出、すなわち適正露出の算出が行われる（ステップS12)。さらに、システム制御部16では算出した適正露出の値に対応する制御信号16bが生成され、露出制御部18に出力される。
【００４６】
露出制御部18では、供給された制御信号16bに基づき適正露出が示すダイナミックレンジよりも狭いレンジに露出補正を施す（ステップS14）。さらに、このレンジは撮像部26だけでなく、A/D変換部30のダイナミックレンジも含めて充分小さい信号になるように補正を施す。そして、露出補正に対応した駆動信号や制御信号として絞り機構20、メカニカルシャッタ22、ストロボ（登録商標）24、撮像部26、およびCDS部28にそれぞれ設定される。ただし、絞り機構20は、あらかじめ設定に応じた絞り値に設定される。
【００４７】
操作部14のレリーズボタン（図示せず）に２段ストローク分の押圧操作がなされて本撮像タイミングがシステム制御部16に供給される。システム制御部16ではこのタイミングに応動して露出制御部18から上述した駆動信号18a〜18eを各部にそれぞれ出力する。これによりカメラ10は本撮像を行う（ステップS16)。
【００４８】
本撮像により得られた信号電荷が撮像部26、CDS 部28、A/D 変換部30を経て画像データに変換される。画像データは前処理部44に供給される。前処理部44では、前述した各種の補正を施すとともに、画像データ30aのレベル検出も行う（ステップS18)。このレベル検出して得られたデータは連写を行う際の次の露出量の算出に用いることもできる。補正の施された画像データ44aがフレームメモリ部34に供給される。連写の場合、この撮像とメモリ格納を繰り返す。以後の信号処理、すなわち表示処理および記録用処理においてフレームメモリ部34に一時記憶しているフレーム単位にこの撮像した画像データが用いられる。撮像した被写界の像を液晶モニタ40に表示させるため、フレームメモリ部34はシステム制御部16からの制御信号16a に応じて読み出され、記録用処理部46および表示処理部48に供給される。このうち、表示処理部48が先に動作する。
【００４９】
表示処理部48では、液晶モニタ40への表示に合わせたレベル補正およびガンマ補正処理を施し、かつ液晶表示の画像サイズに合わせた間引き処理を供給される画像データ44a に施す（ステップS20)。表示に関わる一連の処理を受けた画像データ48a が液晶モニタ40に供給される。
【００５０】
液晶モニタ40では、画像データ48aを表示させるとともに（ステップS22）、たとえば画面にこの信号に満足かどうか判断するメッセージを表示させ、ユーザ（撮影者）に判断を要求する（ステップS24)。ユーザは、画像が明る過ぎて白飛びが見られる場合や画像が暗い場合、満足していない場合（NO）、操作選択処理に移行する（ステップS26)。また、表示画像に満足した場合（YES)、記録用の処理に移行する（ステップS28)。
【００５１】
操作選択処理では、画面に表示される項目に対するユーザの要求を操作部14の選択キーで選択する。選択により、ガンマ補正を含むレベル補正等の指示信号14bがシステム制御部16に供給される。システム制御部16では指示に応じた制御信号16aを表示処理部48が供給される。この制御信号16aの供給するとともに、システム制御部16はフレームメモリ部34も制御して一時格納している画像データ44aを読み出す。画像データ44aには新たに設定したレベル補正に応じた表示処理が施され（ステップS20)、液晶モニタ40に表示される（ステップS22)。
【００５２】
ユーザは補正した画像を見てふたたび判断を行う（ステップS24)。まだ不満がある場合（NO）、選択操作を繰り返す（ステップS26)。また、補正した画像に満足した場合（YES)、記録用の信号処理に移行する。
【００５３】
記録用の信号処理は、記録用処理部46で行われる（ステップS28)。記録用処理部46には前処理だけが施された画像データ44aが供給される。記録用処理部46では、液晶モニタ40に表示した画像に対してユーザが満足した際の表示処理で用いたパラメータ値またはこのパラメータ値に記録用の補正を施した値に応じて画像データ44aに信号処理が施される。この信号処理は、構成で前述したように、レベル補正、非線形処理のガンマ補正、記録画像フォーマットに対応させる補間処理、および色差マトリクス処理を施す。得られた輝度および色差データ（46a)が圧縮／伸張処理部36に出力される。
【００５４】
圧縮／伸張処理部36では、供給される輝度および色差データ（46a)に圧縮処理が施される（ステップS30)。圧縮処理には、JPEG処理等が用いられる。圧縮した画像データ36aがメモリカードI/F部38に供給される。メモリカードI/F部38では、メモリカード42の規格に合うように調整した画像データ42aをメモリカード42に供給する。メモリカード42では、ユーザの満足した画像データが圧縮して供給され、そして記録される。
【００５５】
この後、電源をオフにするかどうか判断する（ステップS34)。電源をオフにしない場合（NO）、ふたたび予備的な撮像に戻る（ステップS10)。また、電源をオフにする場合（YES)、カメラ10の電源投入スイッチ（図示せず）をオフに操作して動作を終了させる。
【００５６】
このように動作させることにより、一度撮像した画像を用いて画像を見ながら操作し、調整を行っていることから、これまでカメラでの撮像に満足せず、失敗を判断して取り直すということの大幅な減少またはほとんどなくすことができる。
【００５７】
本実施例のディジタルカメラ10で従来のカメラに比べて高画質化を図れる点について簡単に説明する。通常最終的な記録画像は互換性を保つためビット数等に制約がある。たとえば８ビットのデータを用いる制約がそれである。この制約から、ガンマ補正後も画像データは８ビットのデータにすることが多い。
【００５８】
ここで、A/D変換部30に12ビットのA/D変換器を適用して階調の向上を図っても、ガンマ補正後では画像データが８ビットの精度に抑えられ、階調特性が制限されてしまうことになる。
【００５９】
また、このガンマ補正を施した後にレベル補正として特にゲインアップを行うと、ビット精度が粗くなる。たとえば、３ないし４倍のゲインアップを行うと、入力に対して出力が２ビット程度粗くなってしまう。
【００６０】
ところが、A/D変換部30に12ビットの精度を有するA/D変換器を用いて前処理部44に出力する。前処理部44では、あらかじめダイナミックレンジの範囲よりも充分に抑えたレンジの画像データに対するレベル補正をガンマ補正を施す前に行う。このような順序で、たとえば２倍のゲインアップを行っても11ビット相当の精度が得られる。この精度の画像データにガンマ補正処理を施しても画像データは８ビットの精度に保つことができる。
【００６１】
これに加えて、たとえば露出制御部18で２倍の露出補正（すなわち+1.0EV）を行う場合、ガンマ補正を施した画像データ60に線形なゲイン補正（レベル補正）を行うと、画像データ60が破線62で示す画像データ62に変化する。この変化はコントラストおよび色再現性が変化することを意味する。このような面からもレベル補正を先に行った後にガンマ補正を行うことが好ましいことがわかる。
【００６２】
これら一連の処理についてダイナミックレンジおよびガンマ補正について従来と本実施例とを比較して説明する（図６および図７を参照）。ここで、撮像部26のダイナミックレンジを26d、A/D変換部のダイナミックレンジを30dとして表す。図６に示す従来のディジタルカメラでは被写体に対して測光し、実線の適正露出を設定していても、撮像部ではたとえば逆光撮影のような場合、破線が示す飽和した明るい部分に白飛びが発生する。白飛びからわかるようにダイナミックレンジ26d のピークに達した際の入力レベルまでしか対応できない（図6(a)を参照）。得られた信号をA/D変換部に供給する。供給された信号はA/D変換のダイナミックレンジ30dの範囲で量子化される（図6(b)を参照）。
【００６３】
しかしながら、白飛びは何等改善されずそのままである。量子化した画像データに対して液晶モニタへの表示用ガンマ補正およびゲインを低下させるレベル補正を行っても露出オーバーは補正できない（図6(c)を参照）。図6(c)の実線は、白飛びなく適正露出された際にガンマ補正を施した際の特性を示している。ここで行われたと同じようなガンマ補正を記録用として信号処理を施しても図6(d)に示すようにコントラストや色再現性もうまく表現されていない画像データが記録されてしまう。
【００６４】
これに対して、図７の本実施例では適正露出を算出し、この適正露出に対して露出補正を施して撮像を行っている（図7(a)を参照）。このため、特殊なシーンを撮影しても白飛びのような飽和現象は発生していない。この信号27に対してA/D変換部30で量子化してもA/D変換器のダイナミックレンジ30dよりも低く抑えられていることがわかる（図7(a)を参照）。この画像データ30aが前処理部44に供給される。前処理部44では、画像データ30aにレベル補正が施され、この場合、ゲインアップさせている（図7(b)を参照）。画像データ44aがフレームメモリ部34に供給され、一時格納される。
【００６５】
表示処理部48ではフレームメモリ部34から読み出した画像データ44a に液晶モニタ40への表示用の信号処理が施される。表示用のガンマ補正を施すと、ダイナミックレンジを越える領域が発生している（図7(c)の破線を参照）。この画像を液晶モニタ40に表示し、たとえば画像に対してさらに調整用のガンマ補正を施すか選択を行う。選択、表示処理を繰り返してユーザの満足のいく画像を液晶モニタ40に表示させる。満足な画像が表示された際に、記録用処理部46では画像データ44aに対して繰り返して選択した際に得られたガンマ補正が考慮された記録用のガンマ補正処理を施して記録用の画像データ46aを出力する（図7(d)を参照）。
【００６６】
この手順が示すように、後段での信号処理を施すことが可能なレベルで取り込み満足するまで信号処理を行って得られる画像データを記録しているので、不満な画像を捨てて新たに露出設定しなおして取り直すことがなくなる。したがって、一度取り込んで得た画像データを有効に用いていることにより、所望のシャッタチャンスを逃すことなく、高画質な画像を得ることができる。
【００６７】
次にディジタルカメラ10の変形例について説明する（図８を参照）。図８に示すように構成を簡略化するため本実施例ではシステムバス50が形成されている。共通する部分に同じ参照符号を付して説明を省略する。システムバス50には、システム制御部16、フレームメモリ部34、圧縮／伸張処理部36、メモリカードI/F部38、前処理部44、および記録用処理部46とそれぞれ、信号線16c, 44c, 44d, 44e, 44fを介して接続している。
【００６８】
本実施例で、信号処理部32には前処理部44および記録用処理部46が備えられている。前処理部44は、前述した実施例とまったく同じである。しかしながら、記録用処理部46は、前述した実施例の表示処理の機能も含んでいる。表示処理の機能も含めて１つにまとめることで回路規模を小さくしている。
【００６９】
また、表示メモリ（V-RAM ：Video-Random Access Memory）52が記録用処理部46と液晶モニタ40との間に新たに配設されている。表示メモリ52は、記録用処理部46で表示用のレベル補正、表示用ガンマ処理、および表示変換処理を経た画像データ48aが供給され、格納される。表示メモリ52は、格納した画像データ48aが液晶モニタ40に供給される。
【００７０】
操作部14からレベル補正等の指示を受けると、フレームメモリ部34から読み出された画像データ44aが、システムバス50を介して記録用処理部46に供給される。記録用処理部46で表示処理が画像データ44aに施されるとき処理された画像データ48a が表示メモリ52に出力される。このとき表示メモリ52のデータが更新される。この更新の後、読み出された画像データ48aが液晶モニタ40に供給される。このように接続し動作させることにより、レベル補正した際にだけシステムバス50にアクセスすればよいからバスへのアクセス（すなわち、バス占有度）が減り、消費電力を低下させることができる。
【００７１】
表示画像が良好と判断した場合、操作部14を介してその指示をシステム制御部16に供給する。システム制御部16では制御信号16aを出力してフレームメモリ部34から画像の全データを読み出して記録用処理部46にて記録用処理を前述した順序で行って信号線44d、システムバス50、および信号線44eを介して圧縮／伸張処理部36に供給する。
【００７２】
圧縮／伸張処理部36で圧縮処理を記録用画像データに施して信号線44e、システムバス50および信号線44fを介してメモリカードI/F部38に供給される。メモリカードI/F部38は、メモリカード42にユーザの所望する画像を出力し、画像が記録される。
【００７３】
この変形例にすることにより、回路規模を小さく、かつ消費電力も抑えることができる。
【００７４】
以上のように構成することにより、あらかじめ露光制御部で露光補正して撮像していることから、たとえば逆光シーンのような厳しい撮像条件でも撮像して得られた画像データをそのままに近い線形処理を施してフレームメモリ部に格納し、格納した画像データを用いて繰り返し信号処理を施すことができる。したがって、これまでのように補正した後に撮像しなおすことがなくなり、所望のシャッタチャンスの画像をレベル補正しても色味の変化しない高画質にて得ることができるようになる。また、この画像は、レベル補正を線形にて行っていることから、階調の劣化も回避することができる。
【００７５】
上述した露光補正では、あらかじめ撮像部、A/D変換部のダイナミックレンジよりも充分に小さいレベル範囲の信号で露出が設定されているので、従来不可能であった白飛び等のオーバー露光に対する補正も行える。
【００７６】
【発明の効果】
このように本発明の電子カメラによれば、信号処理して得られた検出データから最適な露出量を制御手段で算出し算出に基づいて生成した露出制御信号を露出制御手段に供給しこの露出制御手段で露出制御信号に応じた露出に関わる各パラメータの設定を最適な露出量よりも低く設定して画像のレベルを充分にダイナミックレンジの範囲内に収める撮像が設定でき、この設定で撮像した画像データを信号処理手段の第１の信号処理手段に供給し、メモリ手段に供給する画像データに対して第１の信号処理（線形処理）を施してメモリ手段に格納することにより、画像の階調劣化による画質低下を防止して画質の向上に寄与することができる。そして、第３の信号処理手段はメモリ手段から読み出した画像データを表示用画像データに処理して表示手段に表示させる。表示した画像に対して操作手段で操作する指示情報を制御手段に送ってこの指示情報に応じた第３の信号処理手段を動作させて画像をふたたび表示手段に表示する。満足する画像が表示された際の第３の信号処理を考慮した第２の信号処理を第２の信号処理手段で第１の信号処理の施された画像データに施して記録用画像データを生成し記録することにより、具体的に、逆光等のような難しい露出条件で撮影しても、あらかじめ露出を最適な露出量よりも低くしているので、撮像レベルの飽和を防止して、その後の信号処理を行っても各処理の効果を充分に発揮させることができ、メモリ手段に一時記憶した画像データに対して繰り返し信号処理を行って所望の画像にあるか確認した後に高画質な画像を記録することができる。この繰り返し処理により、これまで一つ前の撮像して得た画像を確認して露出設定を変更して再撮像しなおすような操作を不要にして、所望のシャッタチャンスをとらえたシーンを高画質に得ることができる。
【００７７】
また、本発明の信号処理方法によれば、予備的な撮像で画像データのレベル検出およびこのレベル検出したデータを用いて最適な露出量を算出し、最適な露出量よりも少ない露出量にする露出制御にして撮像することにより、この方法を適用する装置のもつダイナミックレンジよりも充分に狭いレベル範囲の画像データにする。この画像データには線形な第１の信号処理を施して一時記憶し、再び読み出した第１の信号処理の施された画像データと検出したレベルに基づいてこの読み出した画像データに第２の信号処理を施し表示用画像データにする。この表示用画像データの画像表示に際して信号処理の項目の選択、およびこの項目の補正量の設定操作を行って設定した操作に関して生成した指示情報に応じた第１の補正信号処理を施して表示用画像データおよび記録用画像データを生成する。このときの表示画像が所望の画像か否かを判定し、指示情報の生成に戻って選択を繰り返す場合と、第１の補正信号処理を考慮し、第２の補正信号処理を施す場合とを判定し後者の場合に第２の補正信号処理により記録用画像データを生成して記録する。このように動作させることにより、一度撮像した画像データに対して繰り返し信号処理を施しても一時記憶した画像データを使うことから色味や階調といった画質に関わる点の劣化を防ぐことができる。具体的には、露光補正を行うことにより、あらかじめ撮像部、A/D変換部のダイナミックレンジよりも充分に小さいレベル範囲の信号で露出が設定されているので、従来不可能であった白飛び等のオーバー露光に対する補正を行うことができる。
【図面の簡単な説明】
【図１】本発明の電子カメラを適用したディジタルカメラの概略的な構成を示すブロック図である。
【図２】図１の記録用処理部の概略的な構成を示すブロック図である。
【図３】図１の表示処理部の概略的な構成を示すブロック図である。
【図４】図１のディジタルカメラの動作手順を説明するフローチャートである。
【図５】レベル補正をしてガンマ補正した場合とガンマ補正を施した後レベル補正した際の特性の違いを示す模式図である。
【図６】従来のディジタルカメラによる撮像から記録用の信号処理までの入力に対する出力関係を説明する模式図である。
【図７】本実施例のディジタルカメラによる撮像から記録用の信号処理までの入力に対する出力関係を説明する模式図である。
【図８】図１のディジタルカメラにおける変形例の概略的な構成を示すブロック図である。
【符号の説明】
10  ディジタルカメラ
14  操作部
16  システム制御部
18  露出制御部
26  撮像部
30  A/D変換部
32  信号処理部
34  フレームメモリ部
36  圧縮／伸張処理部
40  液晶モニタ
42  メモリカード
44  前処理部
46  記録用処理部
48  表示処理部
【図１】
0003822486.tif 000002
【図２】
0003822486.tif 000003
【図３】
0003822486.tif 000004
【図４】
0003822486.tif 000005
【図５】
0003822486.tif 000006
【図６】
0003822486.tif 000007
【図７】
0003822486.tif 000008
【図８】
0003822486.tif 000009